(57)【特許請求の範囲】
【請求項１】
吸気口及び吹出口と、両者をつなぐ空気流路と、該吸気口から空気流路を経て吹出口に流れる空気流を形成するファンと、該空気流路を流れる空気流を浄化する浄化部とを有する空気清浄機本体と、
該空気清浄機本体の吸気口及び吹出口の少なくとも一方を通風可能に覆うと共に該空気清浄機本体に回動可能に且つ着脱可能に取り付けられたグリルとを有する空気清浄機において、
該グリルは、該グリルの一端部に設けられグリルの回動中心域となる回動腕部と、該グリルの他端部に設けられ該空気清浄機本体に着脱可能に係合されるグリル係合部とをもち、
該空気清浄機本体は、空間を介して互いに接近して対向する第１係合部及び第２係合部をもち、
該空気清浄機本体の第１係合部及び第２係合部は、
該空気清浄機本体に対する該グリルの回動角度が小さいとき該グリルの回動腕部を該第１係合部と該第２係合部との間の該空間に挿脱可能とすると共に、
該空気清浄機本体に対する該グリルの回動角度が大きいとき、該グリルの回動腕部を該第２係合部で係合させると共に、該グリルの回動腕部のうち該第２係合部に係合する面の裏面の部位を該第１係合部に係合させて該グリルを回動位置に維持しつつ該空気清浄機本体に仮保持することを特徴とする空気清浄機。
【請求項２】
請求項１において、該空気清浄機本体は、該吸気口、該空気流路、該ファン、該浄化部を有するボディと、該ボディに取り付けられた化粧板とで構成されており、該化粧板は該第１係合部及び該第２係合部を有することを特徴とする空気清浄機。
【請求項３】
請求項１または請求項２において、該グリルには、光触媒を保持する光触媒ホルダが装備されていることを特徴とする空気清浄機。
【請求項４】
請求項３において、該光触媒ホルダは該グリルに対して着脱可能であることを特徴とする空気清浄機。
【発明の詳細な説明】
【０００１】
【発明の属する技術分野】
本発明は、ファンで吸引した空気を清浄にする空気清浄機に関する。本発明は例えば車両の室内の天井側に取り付けられる空気清浄機に適する。
【０００２】
【従来の技術】
空気清浄機において、グリルを本体から外すときにグリルがダイレクトに落下すると、グリルの損傷などを招くため、好ましいことではない。グリルのダイレクト落下を抑える技術として、特開平１１−１４８６７３号公報（公開日：１９９９年６月２日）には、天井埋込型の空気調和機において、吸込グリルを本体から外したときに紐状のステーにより吸込グリルを本体に吊持して吸込グリルの落下を防止する技術が開示されている。
【０００３】
また特開平１０−１０３７０８号公報（公開日：１９９８年４月２１日）には、天井埋込型の空気調和機において、吸込グリルの両側にスリットにより揺動可能に形成した取付片に軸部を設け、この軸部を本体の軸孔に嵌合させた技術が開示されている。
【０００４】
【発明が解決しようとする課題】
前者の公報に係る従来技術によれば、紐状のステーにより吸込グリルを本体に吊持して吸込グリルの落下を防止する構造であるため、吸込グリルを本体から完全に取り外すためには、紐状のステーを逐一取り外す必要があり、面倒である。
【０００５】
後者の公報に係る従来技術によれば、吸込グリルを本体から取り外すためには、グリルの幅方向の両側に設けられている取付片を撓ませることにより、軸部を軸孔から外す必要がある。この場合には、グリルの幅方向の両側に設けられている双方の取付片をそれぞれ撓ませる必要があり、面倒である。
【０００６】
本発明はこのような事情に鑑みてなされたものであり、グリルを空気清浄機本体から取り外す際に、グリルを仮保持してグリルの自然落下を抑え得ると共に、作業者の片手でもグリルを空気清浄機本体から簡単な操作で取り外すことができる空気清浄機を提供することを課題とする。
【０００７】
【課題を解決するための手段】
本発明に係る空気清浄機は、吸気口及び吹出口と、両者をつなぐ空気流路と、吸気口から空気流路を経て吹出口に流れる空気流を形成するファンと、空気流路を流れる空気流を浄化する浄化部とを有する空気清浄機本体と、
空気清浄機本体の吸気口及び吹出口の少なくとも一方を通風可能に覆うと共に空気清浄機本体に回動可能に且つ着脱可能に取り付けられたグリルとを有する空気清浄機において、
グリルは、グリルの一端部に設けられグリルの回動中心域となる回動腕部と、グリルの他端部に設けられ空気清浄機本体に着脱可能に係合されるグリル係合部とをもち、
空気清浄機本体は、空間を介して互いに接近して対向する第１係合部及び第２係合部をもち、
空気清浄機本体の第１係合部及び第２係合部は、
空気清浄機本体に対するグリルの回動角度が小さいときグリルの回動腕部を第１係合部と第２係合部との間の空間に挿脱可能とすると共に、
空気清浄機本体に対するグリルの回動角度が大きいとき、グリルの回動腕部を第２係合部で係合させると共に、グリルの回動腕部のうち第２係合部に係合する面の裏面の部位を第１係合部に係合させてグリルを回動位置に維持しつつ空気清浄機本体に仮保持することを特徴とするものである。
【０００８】
【発明の実施の形態】
・本発明によれば、ファンが駆動すると、吸気口から吸引された空気は空気流路を流れ、浄化部により浄化され、吹出口から機外に吹き出される。空気清浄機本体は、空間を介して互いに接近して対向する第１係合部及び第２係合部をもつ。空気清浄機本体の第１係合部及び第２係合部は、空気清浄機本体に対するグリルの回動角度が小さいとき、グリルの回動腕部を第１係合部と第２係合部との間の空間に挿脱可能とする。このように挿脱可能とした状態で、グリルを引き抜けば、グリルの回動腕部を第１係合部と第２係合部との間の空間から簡便に外すことができる。
【０００９】
また、空気清浄機本体の第１係合部及び第２係合部は、空気清浄機本体に対するグリルの回動角度が大きいとき、グリルの回動腕部を第２係合部で係合させると共に、グリルの回動腕部のうち第２係合部に係合する面の裏面の部位を第１係合部に係合させてグリルを回動位置に維持しつつ空気清浄機本体に仮保持する。このようにグリルを仮保持すれば、グリルを空気清浄機本体から取り外す際に、グリルのダイレクトの落下は抑制される。従って、上記した機能を奏しうる条件の下で、第１係合部はグリルの回動腕部の一方の面に接触して係合できるものであれば良く、また、第２係合部はグリルの回動腕部の他方の面に接触して係合できるものであれば良い。第１係合部及び第２係合部は、爪状でも、軸状でも良く、形状は特に限定されない。
【００１０】
・空気清浄機本体は、吸気口、空気流路、ファン、浄化部を有するボディと、ボディに取り付けられた化粧板とで構成されている形態を採用できる。この形態では、化粧板は第１係合部及び第２係合部を有することができる。化粧板としては例えば吸気グリルとすることができる。
【００１１】
・浄化部としては塵埃や臭い物質等の少なくとも１種を吸着できる吸着部とすることができる。このような吸着部としては、集塵用のフィルタまたは光触媒の少なくとも１種を採用できる。フィルタとしては、ＰＰやＰＥＴなどの樹脂系材料から形成された不織布、あるいはガラス繊維フィルタを用いて形成することができる。塵埃等の捕獲のため、フィルタの表面積は大きいほど好ましいので、山折りと谷折りが交互に繰り返されたコルゲート形状とすることが望ましい。また必要に応じて帯電処理することも好ましい。例えば、フィルタは、活性炭、ゼオライト、シリカゲル等の少なくとも１種を主要成分とする層と、帯電処理した層とを積層して形成できる。フィルタは、光触媒を一体的に併有する形態でも良く、光触媒を併有していない形態でもよい。フィルタが光触媒を一体的に併有する場合には、粉末状の光触媒をスラリー化して塗布、浸漬等によりフィルタに含浸させたものを採用でき、あるいは、フィルタとなる材料に粉末状の光触媒を塗り込んでも良い。光触媒は、たばこ等のにおい物質を除去するのに有効であり、TiO2 、 WO3 、 CdS、SrTiO3 、MoS2 など公知のものを用いることができる。取扱容易性や活性の程度を考慮すると、TiO2を用いることが望ましい。TiO2の結晶構造としては、ルチル型及びアナターゼ型のいずれも用いることができるが、一般的には触媒活性の大きいアナターゼ型の方が好ましい。光触媒の形状は特に制限されず、粉末状あるいは粒子状などのように種々の形状及び大きさとすることができる。この場合には光触媒物質自体を粉末状、粒子状としても良いし、あるいは、粉末状や粒子状の担体に光触媒を担持することにしても良い。担体としては例えばシリカゲル粒子、活性炭等があげられるが、これらに限定されるものではない。
【００１２】
・フィルタと光触媒とがそれぞれ別体の浄化部として空気清浄機に個別に設けられる場合には、光触媒はフィルタの下流側に配置しても上流側に配置しても良いが、フィルタで大きな粒子を捕獲できるため、大きな粒子が光触媒に付着することを抑制して光触媒の性能を高めること等を考慮すれば、光触媒はフィルタの下流に配置することが好ましい。光触媒を励起させる励起手段としては、発光ダイオード、ブラックライト、冷陰極管等を採用できる。この発光ダイオードとして短波長の光を発するものを採用でき、波長は例えば３６０ｎｍ〜４００ｎｍとすることができるが、この波長域に限定されるものではない。発光ダイオードとして窒化ガリウム（GaN）系を用いることができるが、これに限定されるものではない。発光ダイオードは小型素子であり、一般的には、設置のための空間を多く必要としないため、コンパクト化に有利である。発光ダイオードは低電圧電流で発光するため、省電力に有利である。
【００１３】
・グリルには、光触媒を保持した光触媒ホルダが装備されている形態を採用できる。この場合、グリルを空気清浄機本体から取り外せば、光触媒ホルダを空気清浄機本体から取り外すことができる。光触媒ホルダはグリルに対して着脱可能とすることができる。この場合、光触媒ホルダに保持されている光触媒を交換するのに有利である。
【００１４】
なお、光触媒がフィルタの下流側に設けられる形態では、発光ダイオード等の励起手段をフィルタの下流側に配置することもできる。この場合、空気流路を流れる空気流から塵埃等がフィルタで除去されるため、発光ダイオード等の励起手段に塵埃等が付着することは抑制され、発光ダイオード等の励起手段を保護するのに有利であり、発光ダイオード等の励起手段の能力を長期にわたり維持できる。
【００１５】
【実施例】
以下、本発明を具体化した実施例について、図面を参照しつつ説明する。
【００１６】
本実施例に係る空気清浄機は自動車等の車両の室内の天井側に取り付けられるものであり、図１に示すように、空気清浄機本体である本体１は薄型つまり偏平型をなしており、ファン室１ａ及びフィルタ収容室１ｂをもつ空気流路１ｃと、ファン室１ａに配置されたファン２と、フィルタ収容室１ｂに配置された第１吸着部として機能する集塵用のフィルタ３と、本体１の下面側に着脱可能に装備された化粧板としての樹脂製の吸気グリル５１とを備えている。図１に示すように、本体１は、車体の室内Ｒ側に吸気口１０ｔをもつ前面板１０と車体側の裏面板１１とを一体的に連結して形成された箱形のボディ１２を備えている。図１において、吸気グリル５１は、本体１のボディ１２の下面の半分以上を覆うと共に多数のグリル吸気口５２を形成する。吸気グリル５１の下流側には、フィルタ出入口を兼ねる吹出口５３が形成されている。図２に示すように、この吹出口５３はフィルタ収容室１ｂの空気流に沿った向きの中心線Ｐに対して下向きに開口している。その理由は、本実施例の空気清浄機は室内Ｒの天井側に取り付けられるため、浄化した空気を吹出口５３から下方の室内Ｒに向けて吹き出すためである。図２に示すように、吹出口５３の法線５３ｍは、下方に移行するにつれてフィルタ収容室１ｂから離れる方向に傾斜している。吹出口５３は、浄化された空気流を室内Ｒに向けて吹き出す機能の他に、後述するようにフィルタ３の出し入れを行うフィルタ出入口としても機能できる。
【００１７】
吹出グリル５４は樹脂製であり、室内Ｒに対面しており、多数のグリル吹出口５５をもつ。吹出グリル５４のサイズは吸気グリル５１よりも小さい。グリル吹出口５５はフィルタ収容室１ｂ及び室内Ｒに連通する。
【００１８】
図１に示すように、本体１内の空気流路１ｃにおいては、上流側から下流側にかけて、吸気口１０ｔに対面するファン２、主として塵埃等を捕獲するフィルタ３、主としてたばこ等の臭い等を除去する光触媒ホルダ４が順に配置されている。ファン２は遠心ファン（例えば多翼ラジアルファン）であり、複数の回転羽根２０と、回転羽根２０を駆動させる駆動部２１とを有する。
【００１９】
本体１を構成する裏面板１１のうちフィルタ収容室１ｂにおいては、図１に示すように、フィルタ収容室１ｂの容積が増加する方向に裏面板１１の壁部分１１ｗを退避させることにより凹み部１５が形成されている。凹み部１５はフィルタ収容室１ｂの上部側に配置されており、後述から理解できるように、フィルタ３を旋回させるための旋回促進用空間として機能できる。図２から理解できるように、裏面板１１のうち凹み部１５を形成する壁部分１１ｗは、空気流に沿った向きのフィルタ収容室１ｂの中心線Ｐに沿って延設されている。図２から理解できるように、凹み部１５は、フィルタ収容室１ｂの中心線Ｐを介してフィルタ出入口でもある吹出口５３と反対側に設けられている。図２に示すように凹み部１５の凹み深さＨ１は、フィルタ３の高さＨＡよりもかなり小さく設定されている。なお、凹み部１５の凹み長さＬ１はフィルタ３の長さＬＡよりもやや少な目である。凹み部１５のうち、フィルタ収容室１ｂの上流端には、上流に向かうにつれて次第に下方（フィルタ収容室１ｂ）に向かう傾斜をもつ第１案内部１７が形成されている。フィルタ収容室１ｂの下流端には、下流に向かうにつれて下方（フィルタ収容室１ｂ）に向かう傾斜をもつ第２案内部１８が形成されている。
【００２０】
フィルタ３はフィルタ収容室１ｂに着脱可能に収容されており、主として集塵を目的とする集塵フィルタであり、図３に示すように空気透過性及び可撓性をもつ薄板状のフィルタ材を山部３ｍ及び谷部３ｎを交互に形成するようにプリーツ状に織り込まれて形成されており、全体外観は実質的に四角箱状（長さＬＡ、高さＨＡ、幅ＤＡ、図２及び図３参照）をなしており、図２に示すように、上面部３ｕ、下面部３ｄ、側面部３ｅをもつ。フィルタ３を構成するフィルタ材は、活性炭を主要成分とする層と、帯電処理した層とを積層した積層構造とされており、塵埃捕獲性を向上させている。図２に示すように、フィルタ３の上流端３ｆの端面３ｆｏは本体１の裏面板１１のフィルタ上流係合部１９に係合されており、これにより空気流路１ｃを流れる空気が凹み部１５内に進入しないようにシールしていると共に、フィルタ３の挿入方向への位置決めを行っている。フィルタ上流係合部１９は図３に示すように本体１の幅方向（矢印Ｅ方向）に沿って延設されており、フィルタ３の上流端３ｆの端面３ｆｏの全幅またはほぼ全幅をシールしている。
【００２１】
図２に示すように、フィルタ３の下流端３ｒの端面３ｒｏは、本体１の裏面板１１に保持されたフィルタ下流係合部１ｘに僅かに係合されており、これによってもフィルタ３の挿入方向への位置決め、フィルタ３のがた防止を行っている。なお図２に示すように、フィルタ下流係合部１ｘの下面である傾斜案内面１ｙは、下流側に移行するにつれて吹出グリル５４側に向けて下降傾斜しており、出し入れされるフィルタ３の傾斜動作を促進させ得る機能を有する。
【００２２】
更に、フィルタ３の下流端３ｒの下面部３ｄ、上面部３ｕ、側面部３ｅには、シール性の向上、フィルタ３のがたつきを一層抑えるためのクッション材３１が保持されている。即ち、図２に示すように、フィルタ３の上面部３ｕのクッション材３１が凹み部１５の下流端に接触するため、フィルタ３の上面部３ｕのシール性が良好に維持されると共に、フィルタ３のがたつきが一層防止が行われている。また図２に示すように、吹出グリル５４を閉じたときには、吹出グリル５４の押込凸部５７がフィルタ３の下面部３ｄのクッション材３１に押し込まれるため、フィルタ３の下面部３ｄのシール性が良好に維持されると共に、フィルタ３のがたつきが一層抑えられている。
【００２３】
上記したようにフィルタ３はフィルタ収容室１ｂにシール状態で収容されているため、空気流路１ｃを流れる空気は、凹み部１５を通過することは抑えられ、フィルタ３内を確実に通過するようになる。フィルタ３の下流端３ｒの上部には、フィルタ引張部材として機能できるタブ３３が一体的に設けられている。タブ３３を指先等で引っ張ると、フィルタ収容室１ｂ内のフィルタ３を吹出口５３の側に引き抜くことができる。
【００２４】
本実施例においては、吹出グリル５４の裏面５４ｒ側には光触媒ホルダ４が着脱可能に保持されている。従って、本体１に取り付けられた吸気グリル５１の吹出口５３から吹出グリル５４が取り外されると、光触媒ホルダ４も同様に本体１から自動的に取り外される。更に吹出グリル５４から光触媒ホルダ４も取り外すことができるため、光触媒ホルダ４内の光触媒４０を交換するのに有利である。光触媒ホルダ４は主として脱臭を目的とする脱臭フィルタであり、フィルタ３の下流側において、下面４ｄが吹出グリル５４に対面すると共に上面４ｕが励起手段４９に対面するように設けられている。光触媒ホルダ４は空気透過性のための窓をもち、着脱可能に互いに一定的に取り付けられた第１ケース４１及び第２ケース４６で薄型つまり偏平型の箱状に形成されており、前述したように多数個の光触媒４０をがたつかないように光触媒４０を高密度で収容している。
【００２５】
光触媒４０は微小球状であり、TiO2を主要成分としている。図８に示すように、光触媒ホルダ４のうち、励起手段４９に対向する側には、多数の網目開口４２ｆをもつ金属系のメッシュ部材４２が第１ケース４１の窓４１ｘに対面するように配置されている。また、励起手段４９に背向する側には、多数の網目開口４４ｆをもちゴムや樹脂等の高分子材料が被覆されたメッシュ部材４４、多数の網目開口４３ｆをもつ金属系のメッシュ部材４３が光触媒４０の下側において第２ケース４６の窓４６ｘに対面するように敷設されている。従って、励起手段４９から離れるにつれて、つまり、図８に示す矢印Ｋ１方向（空気流の通過方向）に沿って、金属製のメッシュ部材４２、光触媒４０、高分子材料系のメッシュ部材４４、金属系のメッシュ部材４３の順に配置されている。図９に示すように金属系のメッシュ部材４２、４３は、金属製の線材４２ａ、４３ａを網状に編み込んで形成されている。図１０に示すように高分子材料系のメッシュ部材４４は、ナイロン等の芯材４４ｂにウレタン等の軟質層４４ｃを被覆した線材４４ａを網状に編み込んで形成されているため、粒子状の光触媒４０に対する保護性に優れている。図９、図１０から理解できるように、金属製のメッシュ部材４２、４４の網目径ＺＡ、高分子材料系のメッシュ部材４４の網目径ＺＢは同程度とされており、いずれも粒子状の光触媒４０の外径ＺＥよりも小さく設定されている。よって、粒子状の光触媒４０が光触媒ホルダ４のメッシュ部材４２，４３，４４の網目から脱落することが防止されている。このような光触媒ホルダ４では、微小球状の光触媒４０の脱落を防止しつつ、微小球状の光触媒４０を高密度で光触媒ホルダ４内に収容でき、微小球状の光触媒４０ががたつかないようになり、且つ、空気透過性も確保されている。
【００２６】
励起手段４９は光触媒４０を励起させるものであり、光触媒ホルダ４に対面するように、光触媒ホルダ４の上方に保持されている。励起手段４９は多数個の発光ダイオード４９ｍを並設して形成されており、全体として薄型つまり偏平型をなしている。発光ダイオード４９ｍは窒化ガリウム系光半導体で形成されており、短波長（波長３６０〜４００ｎｍ）の光を光触媒４０に照射するものであり、空気流路１ｃに露出している。発光ダイオード４９ｍからの光が照射されると、光触媒４０は励起されて活性化し、光触媒４０に付着しているにおい物質等の物質を分解する作用が高まる。励起手段４９は塵埃除去用のフィルタ３の下流側に配置されているため、空気流に含まれている塵埃が発光ダイオード４９ｍに付着することは抑えられ、長期にわたる発光ダイオード４９ｍの光量の確保に有利であり、ひいては発光ダイオード４９ｍから照射される光で活性化される光触媒４０の浄化能の確保にも有利である。
【００２７】
本実施例に係る空気清浄機は、図３において後側に設けられた爪部材９０，固定部１３の挿通孔１４に挿通された取付具等を利用して車両の天井側に取り付けられる。本体１、励起手段４９、光触媒ホルダ４は薄型であるため、本実施例に係る空気清浄機の薄型化に貢献できる。このような薄型の空気清浄機は狭い室内Ｒにおいても天井壁部２００に沿って違和感なく配置され、車体の室内Ｒを広く確保するのに有利である。天井壁部２００は内層２０２と外層２０１とからなる。
【００２８】
上記した光触媒ホルダ４を吹出グリル５４に取り付ける構造について説明を加える。図１１に示すように光触媒ホルダ４の側面にはホルダ係合部４ｐが複数個突設されている。光触媒ホルダ４を吹出グリル５４に矢印ＵＡ方向に移動させて押し当てれば、光触媒ホルダ４のホルダ係合部４ｐが吹出グリル５４のホルダ被係合部５４ｐに係合され、光触媒ホルダ４は吹出グリル５４に着脱可能に取り付けられる。なお、光触媒ホルダ４の表裏を逆としたときには、光触媒ホルダ４の突起４ｓが吹出グリル５４の突起５４ｓに当たるため、光触媒ホルダ４を吹出グリル５４に取り付けることができない。従って、常に、高分子材料系のメッシュ部材４４が光触媒ホルダ４の下面側となるように、光触媒ホルダ４は吹出グリル５４に取り付けられる。従って突起４ｓは光触媒ホルダ４の表裏逆取付防止手段として機能できる。光触媒ホルダ４４を吹出グリル５４から取り外すにあたっては、図１３に示すように、ホルダ係合部４ｐとホルダ被係合部５４ｐとの間の隙間５４ｐｏに工具やコインなどの挿入体を挿入して外側つまり矢印ＳＣ方向に付勢すれば、ホルダ被係合部５４ｐをもつ壁部分５４ｗが同方向に弾性変形するため、光触媒ホルダ４のホルダ係合部４ｐと吹出グリル５４のホルダ被係合部５４ｐとの係合が解除され、光触媒ホルダ４は吹出グリル５４から取り外される。
【００２９】
次に空気清浄機を使用する場合について説明する。図１に示す状態において、ファン２を回転させると共に、励起手段４９の発光ダイオード４９ｍを発光させ光触媒４０を活性化させる。ファン２の回転により車両の室内Ｒの空気は、吸気グリル５１のグリル吸気口５２を介して吸気口１０ｔから吸引され、その空気流は空気流路１ｃを流れ、フィルタ３及び光触媒４０を順に経て浄化される。浄化された空気は吹出口５３を経て、吹出グリル５４のグリル吹出口５５から室内Ｒに吹き出される。このような運転の継続により室内Ｒが次第に浄化される。空気中の塵埃等のように比較的大きい粒子はフィルタ３で捕獲され、空気中に含まれている臭い物質の粒子等のように極微の粒子は光触媒４０に吸着される。光触媒４０に付着された物質は次第に分解除去される。従ってフィルタ３及び光触媒４０は共に空気流を浄化する浄化部として機能できる。
【００３０】
ところで前記した吹出グリル５４を本体１の吹出口５３から取り外す場合がある。フィルタ３や光触媒４０を交換する場合等である。この場合、吹出グリル５４が本体１から不用意に落下すると、吹出グリル５４の損傷を招く。そこで本実施例では次の特徴的な構成が採用されている。即ち、図６及び図７に示すように、吹出グリル５４の一端部には、突起状の係合頭部５６ｖを先端にもつ回動腕部５６が突設されている。そして、本体１の一部を構成する吸気グリル５１の下流側には、空間５１ｎａを介して互いに接近して対向する第１係合部１ｍ及び第２係合部５１ｓが設けられている。図６、図７に示すように、第１係合部１ｍ及び第２係合部５１ｓは、吹出グリル５４が回動して吹出口５３を開閉する方向（矢印Ｂ１、Ｂ２方向）において、開放方向側（吸気グリル５１の表面側）に第２係合部５１ｓが配置され、閉じ方向側（吸気グリル５１の裏面側）に第１係合部１ｍが配置されている。また、図７に示すように、第１係合部１ｍの係合端面１ｍｏと第２係合部５１ｓの係合端面５１ｓｏとは、吹出グリル５４の延設方向である矢印ＫＸ方向において互いに背向しており、Δｍｋずれて設定されている。即ち、第１係合部１ｍの係合端面１ｍｏと第２係合部５１ｓの係合端面５１ｓｏは、吹出グリル５４の延設方向である矢印ＫＸ方向において離間している。よって、第２係合部５１ｓの係合端面５１ｓｏは、矢印ＫＸ方向において、第１係合部１ｍの係合端面１ｍｏよりも吹出グリル５４に近づく側に配置されている。第１係合部１ｍの係合端面１ｍｏは、矢印ＫＸ方向において、第２係合部５１ｓの係合端面５１ｓｏよりも吹出グリル５４から離れる側に配置されている。
【００３１】
図７に示すように、本体１に対する吹出グリル５４の回動角度が小さいときには、吹出グリル５４の回動腕部５６は第１係合部１ｍと第２係合部５１ｓとの間の空間５１ｎａに矢印Ｓ１、Ｓ２方向に沿って挿脱可能である。また、図６に示すように、本体１に対する吹出グリル５４の回動角度が大きいときには、吹出グリル５４の回動腕部５６が第２係合部５１ｓの係合端面５１ｓｏに係合すると共に、吹出グリル５４の回動腕部５６のうち第２係合部５１ｓに係合している面５６ｆの裏面５６ｒの部位を第１係合部１ｍに係合させる。この状態では図６から理解できるように、吹出グリル５４の回動腕部５６は、回動した位置で、第１係合部１ｍと第２係合部５１ｓとの２点支持構造で係合されている。よって、回動した状態の吹出グリル５４は自然落下することなく、回動した状態で、本体１にそのまま仮保持される。即ち図６において、吹出グリル５４の自重により吹出グリル５４には図６において図示時計回りのモーメントＭｃが作用して回動腕部５６を回動中心域として吹出グリル５４は時計回り方向に回動せんとする。しかし、ストッパとして機能する第１係合部１ｍが吹出グリル５４の回動腕部５６に係合するため、吹出グリル５４の回動はその回動位置で停止される。この結果、吹出グリル５４は、回動したままの状態で、自然落下せぬように仮保持される。従って吹出グリル５４を取り外す際において、回動した状態の吹出グリル５４から作業者が指先等を離したとしても、吹出グリル５４の自然落下が防止され、吹出グリル５４の自然落下に起因する光触媒ホルダ４や光触媒４の損傷を未然に防止することができる。
【００３２】
なお、吹出グリル５４はある程度の重量を有する方が、軽量過ぎる場合に比較して、吹出グリル５４の回転腕部２６が第１係止部１ｍに強く係合すると考えられるため、吹出グリル５４の仮保持の姿勢が安定する。この点本実施例では、吹出グリル５４は、微粒子状の光触媒４０を内蔵した光触媒ホルダ４を一体的に備えているため、ある程度の重量を有し、仮保持の姿勢の安定化を図り得る。
【００３３】
加えて本実施例では図６、図７に示すように、回動腕部５６の先端部には係合頭部５６ｖが設けられており、係合頭部５６ｖが第１係止部１ｍに係合するため、回動腕部５６と第１係止部１ｍとの外れ止め性を一層高めることができ、回動した状態の吹出グリル５４の仮保持性を一層高め得る。
【００３４】
更に説明を加える。光触媒４０やフィルタ３を交換する場合には、図２に示すように、吹出グリル５４の他端部側のグリル係合部としてのグリル係合爪５４ｘが設けられており、このグリル係合爪５４ｘと吸気グリル５１のグリル係合爪５１ｘとの間の隙間５１ｎに、工具、コイン、指先等の挿入物ＳＡを挿入して適宜回動操作させる。これによりグリル係合爪５４ｘ、５１ｘの少なくとも一方を適宜弾性変形させ、グリル係合爪５４ｘとグリル係合爪５１ｘとの係合を解除する。すると、図４に示すように、光触媒ホルダ４が一体的に取り付けられた吹出グリル５４がこれの回動腕部５６の付近を回動中心域として、矢印Ｂ１方向に自重により回動しつつ下降する。この状態では、前述から理解できるように、吹出グリル５４の回動腕部５６は第１係合部１ｍと第２係合部５１ｓとに係合され、この結果、回動した吹出グリル５４は自然落下することなく、本体１に仮保持される。その後、図７に示すように、吹出グリル５４全体を矢印Ｂ２方向（閉じ方向）に少量持ち上げ、本体１に対する吹出グリル５４の回動角度を小さくすれば、吹出グリル５４の回動腕部５６と第１係合部１ｍ、第２係合部５６ｓとの係合が自ずと解除される。この結果、回動腕部５６は第１係合部１ｍと第２係合部５１ｓとの間における空間５１ｎａから挿脱可能となる。このように挿脱可能とした状態で、吹出グリル５４を矢印Ｂ３方向（図７、図４参照）に移動させれば、吹出グリル５４を本体１側の吸気グリル５１から簡便に取り外すことができ、吹出口５３を開放することができる。上記したような操作は、下方に回動して仮保持されていた吹出グリル５４をやや持ち上げて回動腕部５６を空間５１ｎａから抜き取るだけの操作で足り、作業者は片手でも簡便に行うことができる。
【００３５】
上記したように吹出グリル５４を吸気グリル５１から取り外した後に、吹出グリル５４から光触媒ホルダ４を取り外す。そして新しい光触媒ホルダ４と交換する。新しい光触媒ホルダ４を吹出グリル５４に取り付ける。その後前述同様に、吹出グリル５４の回動腕部５６を、第１係合部１ｍと第２係合部５６ｓとの間の空間５１ｍに挿入すると共に、吹出グリル５４を矢印Ｂ２方向に上方旋回させ、図２に示すように吹出グリル５４のグリル係合爪５４ｘと吸気グリル５１のグリル係合爪５１ｘとを係合させ、吹出グリル５４を吸気グリル５１に着脱可能に取り付ける。
【００３６】
なお、図１に示すように、本体１側の吸気グリル５１に取り付けられ吹出口５３を閉じた状態の吹出グリル５４は、これの回動腕部５６の側からグリル係合爪５４ｘに向かうにつれて上向きとなるように傾斜している。
【００３７】
次に、フィルタ３を空気清浄機に取り付ける形態について説明を加える。この場合にはフィルタ３を空気流路１ｃに沿ってこれの下流側から上流側に向けて押し込み移動させる。即ち、図５から理解できるように、吹出グリル５４を本体１の吸気グリル５１の吹出口５３から分離し、フィルタ出入口でもある吹出口５３を開放させた状態で行う。図５に示すように、上流端３ｆが上側となり、下流端３ｒが下側となるようにフィルタ３を斜めに傾ける。その状態のフィルタ３をこれの上流端３ｆから吸気グリル５１の吹出口５３から矢印Ｄ４方向に沿ってフィルタ収容室１ｂに向けて挿入する。このときフィルタ下流係合部１ｘの傾斜案内面１ｙ及び凹み部１５の第２案内部１８の傾斜案内作用により、フィルタ３の上流端３ｆ付近を良好に案内することができる。そして、フィルタ３の上流端３ｆの上部を凹み部１５に進入させつつ、フィルタ３が偏平型のフィルタ収容室１ｂに沿うようにフィルタ３を次第に水平に近くなるように押し込みつつ旋回させる。凹み部１５がフィルタ収容室１ｂに対面して形成されているため、斜めに傾斜したフィルタ３をほぼ水平に旋回させる旋回操作は容易となる。殊に本実施例においては、フィルタ３の上流端３ｆが第１案内部１７にあたれば、第１案内部１７の傾斜案内作用により、フィルタ３の上流端３ｆを下向きに案内することができ、フィルタ３を横向き（ほぼ水平状態）にさせる旋回操作が一層容易となる。
【００３８】
上記のようにしてフィルタ収容室１ｂにフィルタ３を取り付けた後に、前述同様に吹出グリル５４を吸気グリル５１の吹出口５３に取り付ける。即ち、前述したように、吹出グリル５４の回動腕部５６を、吸気グリル５１の第１係合部１ｍと第２係合部５１ｓとの間の空間５１ｎａに挿入すると共に、吹出グリル５４を矢印Ｂ２方向に向けて上方旋回させ、吹出グリル５４のグリル係合爪５４ｘと吸気グリル５１のグリル係合爪５１ｘとを係合させ、吹出グリル５４を吸気グリル５１に取り付ける。
【００３９】
次に、フィルタ３を本体１のフィルタ収容室１ｂから取り外す場合について説明を加える。この場合には基本的にはフィルタ３をフィルタ収容室１ｂに取り付ける場合と逆の操作を行えば良く、フィルタ収容室１ｂ内のフィルタ３を空気流路１ｃの上流側から下流側に向けて引張って移動させる。即ち、まず吹出グリル５４を本体１の吸気グリル５１から外し、フィルタ出入口でもある吹出口５３を開放させる。そして図５から理解できるように、フィルタ３の下流端３ｒの上部に連結されているタブ３３を吹出口５３側に向けて矢印Ｄ５方向に引っ張りながら、フィルタ３をフィルタ収容室１ｂから引き抜く。このときフィルタ３の上流端３ｆの上部が凹み部１５に進入するように、フィルタ３の下流端３ｒが斜め下向きとなるように旋回させつつ、フィルタ３を更に引き抜く。本実施例では、フィルタ収容室１ｂの上部に凹み部１５が形成されているため、引き抜く際にも、ほぼ水平のフィルタ３を、これの上流端３ｆが上側となり下流端３ｒが下側となるように、傾斜させつつ旋回操作することは容易となる。殊に本実施例においては、凹み部１５の下流に設けられている第２案内部１８や傾斜案内面１ｙの傾斜案内作用により、フィルタ３を斜め旋回する操作は一層容易となる。上記したように引き抜いた後、フィルタ３を清掃または交換する。そして清掃または交換したフィルタ３を前述のようにフィルタ収容室１ｂに再び取り付け、本体１に固定されている吸気グリル５１の吹出口５３に吹出グリル５４を取り付ける。
【００４０】
このように本実施例において、フィルタ出入口である吹出口５５の反対側に設けた凹み部１５を利用して、フィルタ３を旋回させつつ、フィルタ出入口である吹出口５５から空気流路１ｃの延設方向に沿って（空気流の上流から下流への方向、あるいは、空気流の下流から上流への方向）フィルタ３を移動させてフィルタ３の出し入れを行う。このように空気流が流れる空気流路１ｃの延設方向に沿ってフィルタ３を移動させて出し入れを行うことができるため、空気流路１ｃとフィルタ挿入経路とを共通化できる利点が得られ、本体１のサイズの小型化に有利である。
【００４１】
（その他）
上記した実施例では、第１係合部１ｍ、第２係合部５１ｓの双方共、本体１側の吸気グリル５１に設けられているが、これに限られるものではなく、要するに本体１側に設けられていれば良い。上記した実施例では、吹出グリル５４に光触媒ホルダ４が保持されているが、これに限らず、集塵用のフィルタが保持されていても良いし、あるいは、吹出グリル５４にはなにも保持されていなくても良い。上記した実施例は本発明を吹出グリル５４に適用しているが、図示はしないものの吸気側のグリルに適用することもできる。その他、本発明は上記し且つ図面に示した実施例のみに限定されるものではなく、要旨を逸脱しない範囲内で適宜変更して実施できる。上記した実施例は本発明の概念を例示したものであり、実施例に記載の語句、部材、部材を修飾している語句は、一部であっても、各請求項に記載できる。
【００４２】
（付記）上記した記載から次の技術的思想も把握できる。
・各請求項において、第１係合部の係合端面と第２係合部の係合端面とは、吹出グリルの延設方向において離間しており、第２係合部の係合端面は第１係合部の係合端面よりも吹出グリルの側に配置されており、第１係合部の係合端面は第２係合部の係合端面よりも吹出グリルから離れた側に配置されていることを特徴とする空気清浄機。
・各請求項において、空気清浄機本体に取り付けられた状態のグリルは、これの回動腕部の側からグリル係合部に向かうにつれて被取付部側（天井側）に近づくように傾いていることを特徴とする空気清浄機。
・請求項４において、光触媒ホルダ及びグリルの少なくとも一方は、光触媒ホルダが表裏逆のときのグリルへの取付を阻止する表裏逆取付防止手段を有することを特徴とする空気清浄機。
・請求項１において。グリルは吹出グリル及び吸気グリルの少なくとも一方であることを特徴とする空気清浄機。
【００４３】
【発明の効果】
本発明によれば、空気清浄機本体は、空間を介して互いに接近して対向する第１係合部及び第２係合部をもち、空気清浄機本体の第１係合部及び第２係合部は、空気清浄機本体に対するグリルの回動角度が小さいときグリルの回動腕部を第１係合部と第２係合部との間の空間に挿脱可能とすると共に、空気清浄機本体に対するグリルの回動角度が大きいとき、グリルの回動腕部を第２係合部で係合させると共に、グリルの回動腕部のうち第２係合部に係合する面の裏面の部位を第１係合部に係合させてグリルを空気清浄機本体に仮保持する。従って吹出グリルを空気清浄機本体から取り外す場合には、空気清浄機本体に対するグリルの回動角度を小さくして、グリルの回動腕部を第１係合部と第２係合部との間の空間に挿脱可能とした状態で、グリルを引き抜けば空気清浄機本体から引き抜くことができる。このような操作は作業者の片手でも簡便に行うことができ、操作性が向上する。
【図面の簡単な説明】
【図１】本発明の一実施例に係り、空気清浄機の断面図である。
【図２】本発明の一実施例に係り、空気清浄機のフィルタ及び光触媒ホルダ付近の拡大断面図である。
【図３】本発明の一実施例に係り、空気清浄機の平面図である。
【図４】本発明の一実施例に係り、吹出グリルを下方回動させて仮保持している形態を示す拡大断面図である。
【図５】本発明の一実施例に係り、空気清浄機の本体のフィルタ収容室にフィルタを出し入れする過程を模式的に示す拡大断面図である。
【図６】吹出グリルの回動角度が大きく、吹出グリルの回動腕部が第１係合部及び第２係合部に係合している状態を示す部分拡大断面図である。
【図７】吹出グリルの回動角度が小さく、吹出グリルの回動腕部が第１係合部及び第２係合部から挿脱可能である状態を示す部分拡大断面図である。
【図８】吹出グリルに取り付けられた光触媒ホルダ及び励起手段付近を示す部分拡大断面図である。
【図９】メッシュ部材を示す部分拡大図である。
【図１０】メッシュ部材を示す部分拡大図である。
【図１１】光触媒ホルダを吹出グリルに取り付ける直前の状態を示す側面図である。
【図１２】光触媒ホルダを吹出グリルに取り付けた後の状態を示す側面図である。
【図１３】図１２におけるＷ１７−Ｗ１７線に沿った断面を示し、光触媒ホルダを吹出グリルに取り付けた後の状態におけるホルダ係合部付近を示す断面図である。
【符号の説明】
図中、１は本体（空気清浄機本体）、１ｃは空気流路、１ｍは第１係合部、２はファン、３はフィルタ（浄化部）、４は光触媒ホルダ、４０は光触媒（浄化部）、４９は励起手段、５１は吸気グリル（化粧板）、５１ｓは第２係合部、５１ｎａは空間、５４は吹出グリル、５４ｘはグリル係止爪（グリル係合部）、５６は回動腕部をそれぞれ示す。
【図１】
0003736324.tif 000002
【図２】
0003736324.tif 000003
【図３】
0003736324.tif 000004
【図４】
0003736324.tif 000005
【図５】
0003736324.tif 000006
【図６】
0003736324.tif 000007
【図７】
0003736324.tif 000008
【図８】
0003736324.tif 000009
【図９】
0003736324.tif 000010
【図１０】
0003736324.tif 000011
【図１１】
0003736324.tif 000012
【図１２】
0003736324.tif 000013
【図１３】
0003736324.tif 000014